(57)【要約】【課題】様々な場所に容易に取り付けることができ、且つコスト低減を図ることができる照明装置を提供すること。【解決手段】有機ＥＬ部及び有機太陽電池部が積層された構造を有する照明装置であって、前記有機ＥＬ部用の有機ＥＬ電極と、前記有機ＥＬ電極に隣接して形成された有機ＥＬ層と、前記有機ＥＬ層に隣接して形成された前記有機ＥＬ部及び前記有機太陽電池部用の共通電極と、前記共通電極に隣接して形成された有機太陽電池層と、前記有機太陽電池層に隣接して形成された前記有機太陽電池部用の有機太陽電池電極と、を有し、前記有機ＥＬ電極及び前記有機太陽電池電極の少なくとも一方、並びに前記共通電極は光透過性を備え、前記有機ＥＬ層から生じた照明光の出射面及び太陽光の入射面は、前記有機ＥＬ電極又は前記有機太陽電池電極の光透過性を備える一方の形成面側に位置すること。【選択図】図１
2015219969.tif 000002
【特許請求の範囲】
【請求項１】
有機ＥＬ部及び有機太陽電池部が積層された構造を有する照明装置であって、
前記有機ＥＬ部用の有機ＥＬ電極と、
前記有機ＥＬ電極に隣接して形成された有機ＥＬ層と、
前記有機ＥＬ層に隣接して形成された前記有機ＥＬ部及び前記有機太陽電池部用の共通電極と、
前記共通電極に隣接して形成された有機太陽電池層と、
前記有機太陽電池層に隣接して形成された前記有機太陽電池部用の有機太陽電池電極と、を有し、
前記有機ＥＬ電極及び前記有機太陽電池電極の少なくとも一方、並びに前記共通電極は光透過性を備え、
前記有機ＥＬ層から生じた照明光の出射面及び太陽光の入射面は、前記有機ＥＬ電極又は前記有機太陽電池電極の光透過性を備える一方の形成面側に位置する照明装置。
【請求項２】
前記出射面及び前記入射面とは反対側に反射機能を備える構造を有する請求項１に記載の照明装置。
【請求項３】
前記有機太陽電池部において発電された電力を充電するとともに、充電した電力を前記有機ＥＬ部に供給する充放電部を有する請求項１又は２に記載の照明装置。
【請求項４】
前記充放電部は、前記有機ＥＬ電極、前記共通電極、及び前記有機太陽電池電極に電気的に接続された電力制御回路、並びに前記電力制御回路に接続された充電素子を備える請求項３に記載の照明装置。
【請求項５】
前記電力制御回路は、前記充電素子への充電及び前記充電素子からの放電を切り替えて行う請求項４に記載の照明装置。
【請求項６】
前記充放電部は、前記有機太陽電池部における起電力を検出する起電力検出回路を備え、
前記電力制御回路は、前記起電力検出回路から供給される検出信号に応じて前記充電素子の充放電を制御する請求項５に記載の照明装置。
【請求項７】
前記電力制御回路は、前記有機太陽電池部における起電力が閾値以上である場合に、前記充電素子への充電を行う請求項６に記載の照明装置。
【請求項８】
前記電力制御回路は、昇圧機能及び降圧機能を備える請求項４乃至７のいずれか１項に記載の照明装置。
【請求項９】
前記有機太陽電池電極が光透過性を備え、
前記有機太陽電池層における吸収光のピーク波長は、前記照明光の成分の各ピーク波長に対して９０％以下又は１１０％以上である請求項１乃至８のいずれか１項に記載の照明装置。
【請求項１０】
前記有機ＥＬ電極及び前記有機太陽電池電極のいずれもが光透過性を備え、
前記出射面及び前記入射面とは反対側に配設された反射部材を有する請求項１乃至９のいずれか１項に記載の照明装置。
【請求項１１】
前記出射面及び前記入射面とは反対側に位置する前記有機ＥＬ電極又は前記有機太陽電池電極が、反射機能を備える請求項１乃至９のいずれか１項に記載の照明装置。
【請求項１２】
前記有機ＥＬ電極は、前記有機ＥＬ部の陽極として機能し、
前記有機太陽電池電極は、前記有機太陽電池部の陽極として機能し、
前記共通電極は、前記有機ＥＬ部及び前記有機太陽電池部の陰極として機能する請求項１乃至１１のいずれか１項に記載の照明装置。
【請求項１３】
前記有機ＥＬ電極は、前記有機ＥＬ部の陽極として機能し、
前記有機太陽電池電極は、前記有機太陽電池部の陰極として機能し、
前記共通電極は、前記有機ＥＬ部の陰極及び前記有機太陽電池部の陽極として機能する請求項１乃至１１のいずれか１項に記載の照明装置。
【発明の詳細な説明】
【技術分野】
【０００１】
本発明は、有機ＥＬ素子からなる面発光パネルを備える照明装置に関する。
【背景技術】
【０００２】
従来から、照明装置として白熱電球や蛍光灯が広く用いられている。これに対し、近年においては、面発光型の照明装置がそのソフトな印象の光や省エネルギー性能などの理由から次世代照明として注目を浴びており、有機エレクトロルミネッセンス（有機ＥＬ（Electro Luminescence）、ＯＥＬ：Organic Electro Luminescence）、無機エレクトロルミネッセンス、又は発光ダイオードと導光板とを組合せたものが開発されている。中でも有機ＥＬは非常に薄く、機器の小型軽量化が可能であり、発熱も小さいといった点で注目されている。
【０００３】
有機ＥＬとは、有機物質からなる発光材料に電圧を印可してエネルギーを付与し、励起された当該発光材料が元の状態に戻る際に、光としてエネルギーを放出する現象のことをいう。有機ＥＬ技術を用いた発光素子である有機ＥＬ素子には、有機物質からなる発光材料を含む有機層と、当該有機層を挟むように対向した２つの電極（陰極及び陽極）と、を基板上に順次積層した構造が一般的に用いられている。
【０００４】
近年においては、有機ＥＬ素子からなる面発光パネルから照明装置を製造するだけでなく、太陽電池を照明装置に組み込み、太陽光を利用して発電した電力によって面発光パネルを駆動することができる照明装置の研究及び製造等が行われている。太陽電池を組み込んだ照明装置としては、例えば、特許文献１又は特許文献２に具体的な構造等が開示されている。特許文献１及び特許文献２に開示されている照明装置においては、面発光パネルと太陽電池とを並置せず、積層することによって照明装置としての設置面積の増大を防止している。
【先行技術文献】
【特許文献】
【０００５】
【特許文献１】特表２０１３−５０４１４４号公報
【特許文献２】特開２０１３−６２７３７号公報
【発明の概要】
【発明が解決しようとする課題】
【０００６】
特許文献１又は特許文献２に開示されているような照明装置において、面発光パネルの光出射面と太陽電池の受光面とは同一面上に位置することがなく、照明装置の互いに対向する面の一方に面発光パネルの光出射面又は太陽電池の受光面の一方が位置し、照明装置の互いに対向する面の他方に面発光パネルの光出射面又は太陽電池の受光面の他方が位置している。すなわち、特許文献１又は特許文献２の照明装置において、太陽光を受光する入射面と、有機ＥＬ素子で発光した照明光を出射する出射面とが互いに対向する位置に設けられている。
【０００７】
しかしながら、このような構造を有する照明装置では、屋外の天井面又は強固に立てられた支柱に保持させる必要があり、使用箇所及び取り付け場所が限定されてしまう。また、単に面発光パネルと太陽電池を積層しただけでは、それぞれが独立して構成されているため、照明装置自体のコストの低減を十分に図ることができていない。
【０００８】
本発明はこのような課題に鑑みてなされたものであり、その目的とするところは、様々な場所に容易に取り付けることができ、且つコスト低減を図ることができる照明装置を提供することにある。
【課題を解決するための手段】
【０００９】
上述した目的を達成するため、本発明の第１の態様は、有機ＥＬ部及び有機太陽電池部が積層された構造を有する照明装置であって、前記有機ＥＬ部用の有機ＥＬ電極と、前記有機ＥＬ電極に隣接して形成された有機ＥＬ層と、前記有機ＥＬ層に隣接して形成された前記有機ＥＬ部及び前記有機太陽電池部用の共通電極と、前記共通電極に隣接して形成された有機太陽電池層と、前記有機太陽電池層に隣接して形成された前記有機太陽電池部用の有機太陽電池電極と、を有し、前記有機ＥＬ電極及び前記有機太陽電池電極の少なくとも一方、並びに前記共通電極は光透過性を備え、前記有機ＥＬ層から生じた照明光の出射面及び太陽光の入射面は、前記有機ＥＬ電極又は前記有機太陽電池電極の光透過性を備える一方の形成面側に位置する照明装置である。
【００１０】
本発明の第２の態様は、上述した第１の態様において、前記出射面及び前記入射面とが反対側に反射機能を備える構造を有することである。これにより、有機ＥＬ部から放射された照明光を出射面側に良好に導光することができ、照明装置の発光効率を向上することができる。
【００１１】
本発明の第３の態様は、上述した第１又は第２の態様において、前記有機太陽電池部において発電された電力を充電するとともに、充電した電力を前記有機ＥＬ部に供給する充放電部を有することである。これにより、外部電源から電力供給がなくても、照明装置自体が備える電力により照明装置を駆動させ、照明光を出射することができる。
【００１２】
本発明の第４の態様は、上述した第３の態様において、前記充放電部が前記有機ＥＬ電極、前記共通電極、及び前記有機太陽電池電極に電気的に接続された電力制御回路、並びに前記電力制御回路に接続された充電素子を備えることである。これにより、有機太陽電池部で発電した電力を良好に充電させることができ、更には当該充電した電力を使用して良好に有機ＥＬ部を駆動することができる。
【００１３】
本発明の第５の態様は、上述した第４の態様において、前記電力制御回路が前記充電素子への充電及び前記充電素子からの放電を切り替えて行うことである。これにより、照明装置の周囲の状態に応じて、有機ＥＬ部による照明光の放射、又は有機太陽電池部に生じた起電力の充電を選択的に行うことができる。
【００１４】
本発明の第６の態様は、上述した第５の態様において、前記充放電部が前記有機太陽電池部における起電力を検出する起電力検出回路を備え、前記電力制御回路が前記起電力検出回路から供給される検出信号に応じて前記充電素子の充放電を制御することである。これにより、有機太陽電池部に生じた起電力に応じて、有機ＥＬ部による照明光の放射、又は有機太陽電池部に生じた起電力の充電を選択的に行うことができる。
【００１５】
本発明の第７の態様は、上述した第６の態様において、前記電力制御回路が前記有機太陽電池部における起電力が閾値以上である場合に、前記充電素子への充電を行うことである。これにより、発電量が少ない場合における効率の悪い充電を抑制することができ、充電効率の高い状態において良好に充電を行うことができる。
【００１６】
本発明の第８の態様は、上述した第４乃至第７の態様において、前記電力制御回路が昇圧機能及び降圧機能を備えていることである。これにより、有機太陽電池部における起電力がばらついたとしても、良好な充電を行うことが可能になる。
【００１７】
本発明の第９の態様は、上述した第１乃至第７の態様において、前記有機太陽電池電極が光透過性を備え、前記有機太陽電池層における吸収光のピーク波長が前記照明光の成分の各ピーク波長に対して９０％以下又は１１０％以上であることである。これにより、有機ＥＬ層から放射された光が有機太陽電池層において吸収されることが抑制され、照明装置自体の発光効率を向上することができる。
【００１８】
本発明の第１０の態様は、上述した第１乃至第９の態様において、前記有機ＥＬ電極及び前記有機太陽電池電極のいずれもが光透過性を備え、前記出射面及び前記入射面とは反対側に配設された反射部材を有することである。これにより、有機ＥＬ部から放射された照明光を出射面側に良好に導光することができ、照明装置の発光効率を向上することができる。
【００１９】
本発明の第１１の態様は、上述した第１乃至第９の態様において、前記出射面及び前記入射面とは反対側に位置する前記有機ＥＬ電極又は前記有機太陽電池電極が反射機能を備えることである。これにより、有機ＥＬ部から放射された照明光を出射面側に良好に導光することができ、照明装置の発光効率を向上することができる。
【００２０】
本発明の第１２の態様は、上述した第１乃至第１１の態様において、前記有機ＥＬ電極が前記有機ＥＬ部の陽極として機能し、前記有機太陽電池電極が前記有機太陽電池部の陽極として機能し、前記共通電極が前記有機ＥＬ部及び前記有機太陽電池部の陰極として機能することである。これにより、有機ＥＬ部及び有機太陽電池部の構成材料に合わせて、最適な回路設計を行うことができる。
【００２１】
本発明の第１３の態様は、上述した第１乃至第１１の態様において、前記有機ＥＬ電極が前記有機ＥＬ部の陽極として機能し、前記有機太陽電池電極が前記有機太陽電池部の陰極として機能し、前記共通電極が前記有機ＥＬ部の陰極及び前記有機太陽電池部の陽極として機能することである。これにより、有機ＥＬ部及び有機太陽電池部の構成材料に合わせて、最適な回路設計を行うことができる。
【発明の効果】
【００２２】
本発明に係る照明装置によれば、有機ＥＬ部と有機太陽電池部とが積層されているものの、電極の一部が共通化されているため、有機ＥＬ部と有機太陽電池部とを単純に積層した構造と比較して、１つの電極を削減することができ、照明装置自体のコスト低減を図り、更には小型化を図ることができる。また、本発明に係る照明装置によれば、有機ＥＬ層から生じた照明光の出射面及び太陽光の入射面は、有機ＥＬ電極又は有機太陽電池電極の光透過性を備える一方の形成面側に位置することになるため、屋外の天井面又は強固に立てられた支柱に保持させる必要がなくなり、様々な場所に容易に取り付けることができる。
【図面の簡単な説明】
【００２３】
【図１】実施例１に係る照明装置の断面図である。
【図２】実施例１に係る照明装置の回路図である。
【図３】実施例２に係る照明装置の断面図である。
【図４】実施例３に係る照明装置の断面図である。
【図５】実施例４に係る照明装置の断面図である。
【発明を実施するための形態】
【００２４】
以下、図面を参照し、本発明による照明装置の実施の形態について、各実施例に基づき詳細に説明する。なお、本発明は以下に説明する内容に限定されるものではなく、その要旨を変更しない範囲において任意に変更して実施することが可能である。また、各実施例の説明に用いる図面は、いずれも本発明による照明装置又はその構成部材を模式的に示すものであって、理解を深めるべく部分的な強調、拡大、縮小、又は省略等を行っており、各構成部材の縮尺や形状等を正確に表すものとはなっていない場合がある。更に、各実施例で用いる様々な数値は、いずれも一例を示すものであり、必要に応じて様々に変更することが可能である。
【００２５】
＜実施例１＞
（照明装置の構造）
先ず、図１を参照しつつ、本発明の実施例に係る照明装置１の構成を説明する。図１は、本実施例に係る照明装置の断面図である。
【００２６】
図１に示すように、本実施例に係る照明装置１は、面発光パネルとして機能する有機ＥＬ部２と、当該有機ＥＬ部２の電源として機能する有機太陽電池部３が積層された構造を有している。より具体的には、透明基板４の第１の表面４ａ上に有機ＥＬ部２が配設され、当該有機ＥＬ部２に隣接して有機太陽電池部３が配設されている。また、透明基板４の第１の表面４ａ上には、有機ＥＬ部２及び有機太陽電池部３を被覆するように封止部５が形成されている。
【００２７】
また、図１に示すように、有機ＥＬ部２は、有機ＥＬ部２の陽極として機能する第１電極（有機ＥＬ電極）１１、第１電極１１に隣接して形成された有機ＥＬ層１２、及び有機ＥＬ部２の陰極として機能する第２電極（共通電極）１３を有している。すなわち、有機ＥＬ部２は、陽極である第１電極１１と陰極である第２電極１３とにより、有機ＥＬ層１２が挟まれた積層構造を有している。
【００２８】
更に、有機太陽電池部３は、有機太陽電池部３の陰極として機能する第２電極（共通電極）１３、第２電極１３に隣接して形成された有機太陽電池層１４、及び有機太陽電池部３の陽極として機能する第３電極（有機太陽電池電極）１５を有している。すなわち、有機太陽電池部３は、陽極である第３電極１５と陰極である第２電極１３とにより、有機太陽電池層１４が挟まれた積層構造を有している。
【００２９】
また、本実施例においては、第１電極１１と第２電極（共通電極）１３が光透過性を備えている。なお、本願において「光透過性を備えている」とは、可視光の透過率が少なくとも５０％以上、好ましくは７０％以上、更に好ましくは９０％以上であることを指すものとする。
【００３０】
そして、本実施例においては、有機ＥＬ部２の陰極である第２電極１３は、有機太陽電池部３の陰極としても機能する。すなわち、有機ＥＬ部２の陰極と有機太陽電池部３の陰極とは共通化されている。
【００３１】
なお、本実施例においては、第１電極１１及び第３電極１５を陽極とし、共通電極である第２電極１３を陰極としたが、第１電極１１及び第３電極１５を陰極とし、共通電極である第２電極１３を陽極としてもよい。
【００３２】
本実施例に係る照明装置１において、透明基板４の第２の表面４ｂ側から入射する太陽光（図１において実線矢印で示す）は、透明基板４、第１電極１１、有機ＥＬ層１２、及び第２電極１３を経由し、有機太陽電池層１４にまで到達する。そして、当該入射した太陽光を用いて発電が行われる。一方、有機ＥＬ層１２から生じた照明光であって透明基板４側に向けて放射された照明光は、第１電極１１及び透明基板４を経由して、透明基板４の第２の表面４ｂから出射する。また、有機ＥＬ層１２から生じた照明光であって第３電極１５側に向けて放射された照明光は、第３電極１５によって反射され、有機太陽電池層１４、第２電極１３、有機ＥＬ層１２、第１電極１１及び透明基板４を経由して、透明基板４の第２の表面４ｂから出射する。ここで、図１においては、透明基板４の第２の表面４ｂから出射する照明光を破線矢印で示す。なお、図１における太陽光及び照明光の入射方向及び出射方向は一例を示しているに過ぎず、太陽光は全方位から透明基板４の第２の表面４ｂに入射し、照明光は透明基板４の第２の表面４ｂから全方位に出射している。
【００３３】
上述したような太陽光の入射及び照明光の出射を実現するために、本実施例に係る照明装置１の各構成部材は以下の材料が用いられることになる。
【００３４】
透明基板４は、ガラス製の基板である。なお、透明基板４は、可視光を透過する特性を有する基板であればよく、例えば、ポリエステル、ポリメタクリレート、ポリカーボネート、ポリイミド、ポリエチレンテレフタレート、ポリエチレンナフタレート又はポリスルホン等の透明な樹脂、セラミックスなどから構成されてもよい。
【００３５】
有機ＥＬ部２の陽極である第１電極１１は、入射する太陽光及び出射する照明光を透過する必要があるため、例えばインジウム錫酸化物（ＩＴＯ）から構成されている。従って、第１電極１１は、有機ＥＬ層１２に正孔を注入する機能を有するとともに、透明電極として機能する。第１電極１１の形成は、スパッタリング法や真空蒸着法等により行われる。第１電極１１の表面には、第１電極１１上の不純物除去や、イオン化ポテンシャルの調整による正孔注入性向上の点から、紫外線照射やオゾン処理をしてから有機ＥＬ層１２を形成することが好ましい。
【００３６】
なお、第１電極１１は、インジウム錫酸化物から構成されていることに限定されず、有機ＥＬ層１２に正孔を注入する機能を有し、光透過性を備えていれば、例えば、インジウム亜鉛酸化物等の金属酸化物、アルミニウム、金、銀、ニッケル、パラジウム、白金等の金属、ヨウ化銅等のハロゲン化金属、カーボンブラック、ポリ（３−メチルチオフェン）、ポリピロール等の導電性高分子等から構成されてもよい。
【００３７】
本実施例に係る有機ＥＬ層１２は、第１電極１１側から正孔注入層、正孔輸送層、発光層、電子輸送層及び電子注入層（いずれも図示せず）の順に積層された構造を有している。なお、有機ＥＬ層１２の構造は、このような積層構造に限定されることなく、有機ＥＬ技術を用いて、所望の光（照明光）を出射することができれば、従来公知の他の構造であってもよい。
【００３８】
上述した正孔注入層及び正孔輸送層は、正孔輸送性の材料から形成されることが好ましく、芳香族アミン誘導体、フタロシアニン誘導体、ポルフィリン誘導体、オリゴチオフェン誘導体、ポリチオフェン誘導体、ベンジルフェニル誘導体、フルオレン基で３級アミンを連結した化合物、ヒドラゾン誘導体、シラザン誘導体、シラナミン誘導体、ホスファミン誘導体、キナクリドン誘導体、ポリアニリン誘導体、ポリピロール誘導体、ポリフェニレンビニレン誘導体、ポリチエニレンビニレン誘導体、ポリキノリン誘導体、ポリキノキサリン誘導体、カーボン等が挙げられる。また、電子輸送層は、電子輸送性の材料から形成されることが好ましく、例えば、８−ヒドロキシキノリンのアルミニウム錯体などの金属錯体、１０−ヒドロキシベンゾ［ｈ］キノリンの金属錯体、オキサジアゾール誘導体、ジスチリルビフェニル誘導体、シロール誘導体、３−ヒドロキシフラボン金属錯体、５−ヒドロキシフラボン金属錯体、ベンズオキサゾール金属錯体、ベンゾチアゾール金属錯体、トリスベンズイミダゾリルベンゼン、キノキサリン化合物、フェナントロリン誘導体、２−ｔ−ブチル−９，１０−Ｎ，Ｎ’−ジシアノアントラキノンジイミン、ｎ型水素化非晶質炭化シリコン、ｎ型硫化亜鉛、ｎ型セレン化亜鉛などが挙げられる。電子注入層は、仕事関数の低い金属からなることが好ましい。例としては、ナトリウムやセシウム等のアルカリ金属、バリウムやカルシウムなどのアルカリ土類金属などが挙げられる。
【００３９】
上述した発光層に用いられる発光材料としては、以下のものが挙げられる。赤色発光を与える発光材料としては、例えば、ＤＣＭ（４−（ｄｉｃｙａｎｏｍｅｔｈｙｌｅｎｅ）−２−ｍｅｔｈｙｌ−６−（ｐ−ｄｉｍｅｔｈｙｌａｍｉｎｏｓｔｙｒｙｌ）−４Ｈ−ｐｙｒａｎ）系化合物、ベンゾピラン誘導体、ローダミン誘導体、ベンゾチオキサンテン誘導体、アザベンゾチオキサンテン等が挙げられる。また、緑色発光を与える発光材料としては、例えば、キナクリドン誘導体、クマリン誘導体、Ａｌ（Ｃ9Ｈ6ＮＯ）3等のアルミニウム錯体等が挙げられる。更に、青色発光を与える発光材料としては、例えば、ナフタレン、ペリレン、ピレン、アントラセン、クマリン、ｐ−ビス（２−フェニルエテニル）ベンゼン及びそれらの誘導体等が挙げられる。なお、上述した発光材料は、いずれか１種類のみを用いてもよく、２種類以上を任意の組み合わせ及び比率で併用してもよく、要求される照明光（すなわち、照明装置１から出射させるべき光）の色度又は色温度に応じて適宜変更することができる。従って、本発明における照明光とは、白色光に限定されることなく、様々な色度又は色温度を備える光を含んでいる。
【００４０】
また、白色光を発生させる場合は、上述した複数色の発光材料を混合した１つの発光層としてもよく、複数色のそれぞれを１層ずつ積層した複数層の発光層としてもよく、複数色を混合した層と他の色の層を積層した複数層の発光層としてもよい。また、基板上に隔壁等を設け、隔壁により区画された複数の領域に異なる発光色の発光層を設けることにより、白色光を発生させる構成としてもよい。
【００４１】
有機ＥＬ部２及び有機太陽電池部３の共通の陰極として機能する第２電極１３は、入射する太陽光を有機太陽電池層１４に導光させる必要があるため、高い光透過性を備えていることが好ましい。また、第２電極１３は、一般的に仕事関数が低い導電性材料から構成され、有機太陽電池層１４の活性層で発生した電子を円滑に取り出す機能を備えている。例えば、第２電極１３の材料としては、白金、金、銀、銅、鉄、錫、亜鉛、アルミニウム、インジウム、クロム、リチウム、ナトリウム、カリウム、セシウム、カルシウム、若しくはマグネシウム等の金属、又はこれらの合金を用いることができる。また、第２電極１３の材料としては、フッ化リチウム若しくはフッ化セシウム等の無機塩、又は酸化ニッケル、酸化アルミニウム、酸化リチウム、若しくは酸化セシウム等の金属酸化物を用いることもできる。
【００４２】
ここで、比較的に光透過性が低い金属等を材料として使用する場合には、材料となる金属等の堆積量を少なくし、第２電極１３となる金属膜を薄膜化して光透過性を確保する必要がある。
【００４３】
有機太陽電池層１４は、導電性ポリマー又はフラーレンなどを組み合わせた有機薄膜半導体が用いられる。また、有機太陽電池層１４は、電子取り出し層、活性層、正孔取り出し層（いずれも図示せず）が順次積層された積層構造を有しているが、この構造に限定されず、従来公知の構造を適宜用いることが出来る。
【００４４】
また、有機太陽電池層１４は、有機ＥＬ層１２から放射された照明光を吸収せず、できる限り透過することが好ましい。より具体的に、有機太陽電池層１４における吸収光のピーク波長が、有機ＥＬ層１２から放射される照明光の成分の各ピーク波長に対して、９０％以下又は１１０％以上であることが好ましい。換言すれば、有機太陽電池層１４におけるもっとも吸収しやすい波長と、照明光の各色の波長のピークとをできるかぎり一致させず、各色のピーク波長の±１０％の範囲内に吸収光のピーク波長が設定されないように調整することが好ましい。例えば、照明光（白色光）を構成する青色光のピーク波長が４５０ｎｍである場合に、吸収光のピーク波長を４０５ｎｍから４９５ｎｍの範囲外に設定することが好ましくなる。これにより、有機ＥＬ層１２から放射された照明光を効率よく照明装置１の外部に出射することで、発光効率の向上を図ることができる。
【００４５】
有機太陽電池部３の陽極である第３電極１５は、有機ＥＬ層１２から生じた照明光を反射する必要があるため、比較的に高い反射率を備えることが好ましい。そして、第３電極１５は、一般的に仕事関数が高い導電性材料から構成され、有機太陽電池層１４の活性層で発生した正孔を円滑に取り出す機能を備えている。例えば、第３電極１５の材料としては、酸化ニッケル、酸化スズ、酸化インジウム、酸化インジウムスズ（ＩＴＯ）、インジウム−ジルコニウム酸化物（ＩＺＯ）、酸化チタン、酸化インジウム、又は酸化亜鉛等の導電性金属酸化物を用いることができる。また、金、白金、銀、クロム、若しくはコバルト、又はこれらの合金を用いることもできる。
【００４６】
更に、第３電極１５は、ポリチオフェン誘導体にポリスチレンスルホン酸をドーピングしたＰＥＤＯＴ／ＰＳＳで代表されるような導電性高分子材料が更に積層された構造を有してもよい。このような導電性高分子材料を積層する場合には、導電性高分子材料が比較的に高い仕事関数を有しているため、上述した比較的に高い仕事関数を有する金属又は合金に代えて、アルミニウム又はＭｇ等のカソードに適した金属を用いることができる。
【００４７】
上述したような材料及び構造により、第３電極１５は反射機能を備えることから、本実施例に係る照明装置１においては、太陽光の入射面及び照明光の出射面とは反対側に反射機能を有する第３電極が配置されていることになる。そして、このような構造により、有機ＥＬ層１２から放射される照明光を照明装置１の出射面である透明基板４の第２の表面２ｂに向かって良好に反射することができる。
【００４８】
封止部５は、有機ＥＬ部２及び有機太陽電池部３の表面及び側面を覆い、有機ＥＬ層１２及び有機太陽電池層１４が大気によって酸化及び劣化すること等を防止する機能がある。本実施例において、封止部５は、エポキシ樹脂であるが、従来公知の封止材料、及び封止構造を適宜用いることが出来る。
【００４９】
以上のような構造及び各種部材の材料により、本実施例に係る照明装置１においては、有機ＥＬ層１２から生じた照明光の出射面及び太陽光の入射面は、光透過性を備える第１電極の形成面側に位置することになる。すなわち、本実施例に係る照明装置１においては、太陽光の入射面と照明光の出射面とは同一面上に位置することになる。
【００５０】
（照明装置の回路構成）
次に、図２を参照しつつ、本実施例に係る照明装置１の回路構成を説明する。図２は、本実施例に係る照明装置１の回路図を示す。
【００５１】
図２に示すように、本実施例に係る照明装置１は、第１電極１１、第２電極１３、第３電極１５に接続された充放電部２１を有している。充放電部２１は、有機太陽電池部３において発電された電力を充電するとともに、充電した電力を有機ＥＬ部２に供給する。
これにより、有機ＥＬ部２における発光現象が生じる（すなわち、照明光の放射がなされる）。ここで、充放電部２１は、第１電極１１、第２電極１３、第３電極１５に電気的に接続された電力制御回路２２、電力制御回路２２と第２電極１３との間に配置された充電素子２３、及び第２電極１３と第３電極１５との間に配置された起電力検出回路２４から構成されている。また、電力制御回路２２は、ＤＣ/ＤＣコンバータ２５、ＤＣ/ＤＣコンバータ２５の両端に配置された入力側スイッチ２６及び出力側スイッチ２７、並びにこれらのスイッチを制御するスイッチ制御回路２８から構成されている。更に、入力側スイッチ２６は、端子Ｔ１、Ｔ２、Ｔ３を有し、出力側スイッチ２７は端子Ｔ４、Ｔ５、Ｔ６を有している。
【００５２】
より具体的な各電極の接続構成として、第３電極１５は、起電力検出回路２４及び入力側スイッチ２６の端子Ｔ１に接続している。第２電極１３は、起電力検出回路２４及び充電素子２３の陰極に接続している。ここで、第２電極１３はグランド電位に接属され、接地されている。第１電極１１は、出力側スイッチ２７の端子Ｔ５に接続されている。また、より具体的な電力制御回路２２と充電素子２３との接続構成として、充電素子２３の陽極は、入力側スイッチ２６の端子Ｔ２、及び出力側スイッチ２７の端子Ｔ４に接続している。
【００５３】
起電力検出回路２４は、太陽光が有機太陽電池部３に入射されることによって有機太陽電池部３が生成する電力を検出する。すなわち、起電力検出回路２４は、有機太陽電池層１４が発電することにより、第２電極１３と第３電極１５との間に生じる起電力（電位差）を検出する。また、起電力検出回路２４は、当該起電力を検出すると、その検出結果を示す検出信号を制御回路２８に供給する。
【００５４】
ＤＣ/ＤＣコンバータ２５は、電力変換効率が比較的に高く、降圧機能及び昇圧機能を有していることが好ましいが、これに限定されることなく、降圧機能又は昇圧機能のいずれかを有していてもよい。また、ＤＣ/ＤＣコンバータ２５は、充電素子２３に充電するための充電電流又は有機ＥＬ部２に供給する駆動電流を定電流となるように制御してもよく、或いは高電圧を発生させ、この際に流れる電流が規定値を超えないように制御してもよい。このようなＤＣ/ＤＣコンバータ２５を用いることにより、有機太陽電池部３で生じる起電力、及び充電素子２３における起電力に依存することなく、様々な電力値に基づいて、電力の充電及び有機ＥＬ部２の駆動を行うことができる。換言すれば、広い範囲の電力を用いて照明装置１を使用することができる。また、ＤＣ/ＤＣコンバータ２５を用いることにより、回路規模が小さくなり、効率的な構成（すなわち、装置の小型化）を実現できる。
【００５５】
なお、ＤＣ/ＤＣコンバータ２５は、第２電極１３及び充電素子２３の負極とも接続され、接地されている。
【００５６】
入力側スイッチ２６及び出力側スイッチ２７は、一般的な切り替え用のスイッチである。入力側スイッチ２６は、スイッチ制御回路２８から供給される制御信号に応じて、端子Ｔ１と端子Ｔ３との電気的な接続、又は端子Ｔ２と端子Ｔ３との電気的な接続を選択的に行う。同様に、出力スイッチ２７は、スイッチ制御回路２８から供給される制御信号に応じて、端子Ｔ４と端子Ｔ６との電気的な接続、又は端子Ｔ５と端子Ｔ６との電気的な接続を選択的に行う。
【００５７】
スイッチ制御回路２８は、起電力検出回路２４から供給される検出信号に応じて、入力側スイッチ２６及び出力側スイッチ２７のそれぞれの制御を行う。例えば、スイッチ制御回路２８は、供給される検出信号が示す起電力が閾値以上である場合に、充電素子２３への充電を行うように入力側スイッチ２６及び出力側スイッチ２７を制御し、供給される検出信号が示す起電力が閾値未満である場合に、充電素子２３に充電された電力を有機ＥＬ部２に供給するように入力側スイッチ２６及び出力側スイッチ２７を制御する。なお、スイッチ制御回路２８は、検出信号の受信の単なる有無のみにより、充電素子２３への充電又は有機ＥＬ部２への電力供給をなすように、入力側スイッチ２６及び出力側スイッチ２７を制御してもよい。
【００５８】
（照明装置の動作）
次に、図１及び図２を参照しつつ、照明装置１における動作を説明する。先ず、太陽光が有機太陽電池部３の有機太陽電池層１４に到達すると、有機太陽電池層１４において発電現象が生じ、第２電極１３と第３電極１５との間に起電力が生じる。当該起電力が生じると、起電力検出回路２４によって起電力が検出され、当該起電力に応じた検出信号がスイッチ制御回路２８に供給される。
【００５９】
スイッチ制御回路２８は、当該検出信号が示す起電力の値が閾値以上である場合には、入力側スイッチ２６の端子Ｔ１と端子Ｔ３とを接続し、出力側スイッチ２７の端子Ｔ４と端子Ｔ６とを接続する。これにより、第３電極１５からＤＣ/ＤＣコンバータ２５を経由して充電素子２３に所望の電流が供給され、充電素子２３への充電がなされる。この際、ＤＣ/ＤＣコンバータ２５に入力される電流が充電素子２３の入力上限値を超えている場合であっても、ＤＣ/ＤＣコンバータ２５の制御により、充電素子２３の故障又は破損が生じるような電流が供給されず、効率が良く且つ信頼性が高い充電が行われることになる。
【００６０】
一方、スイッチ制御回路２８は、当該検出信号が示す起電力の値が閾値未満である場合には、入力側スイッチ２６の端子Ｔ２と端子Ｔ３とを接続し、出力側スイッチ２７の端子Ｔ５と端子Ｔ６とを接続する。これにより、有機ＥＬ部２に充電素子２３が接続された接続回路が形成され、充電素子２３に充電された電力がＤＣ/ＤＣコンバータ２５を介して有機ＥＬ部２に供給されることになる。
【００６１】
以上のように、本実施例に係る照明装置１においては、電力制御回路２２の制御により、第２電極１３と第３電極１５との間における起電力に応じて、充電素子２３への充電及び充電素子２３からの放電が切り替えられている。換言すれば、有機太陽電池部３において所定以上の電力が生成されている場合には充電素子２３への充電を行い、有機太陽電池部３において所定以上の電力が生成されていない場合には、充電素子２３に充電された電力を使用して有機ＥＬ部２を駆動し、照明光を外部に出射することになる。そして、このような制御を行うことにより、太陽が出ている昼間には充電を行い、太陽が出ていない夜間に照明光を出射するというような切り替えを自動的に行うことができる。また、昼間であっても、曇り又は雨のような太陽が隠れてしまい、比較的に暗い状況下において、自動的に照明光を出射することが可能になる。
【００６２】
なお、本実施例に係る照明装置１においては、有機ＥＬ部２が充電素子２３から供給される電力のみで駆動するような回路構成が用いられていたが、外部の電源電力からも選択的に電力が供給されるような回路構成としてもよい。また、本実施例に係る照明装置１においては、充電素子２３に充電された電力を有機ＥＬ部２のみに供給するような回路構成としたが、充電素子２３に充電された電力を照明装置１の外部の装置や、照明装置１に付属的に設けられた他の電子部品に供給できるような回路構成としてもよい。
【００６３】
更に、本実施例に係る照明装置１においては、有機太陽電池部３における発電量（起電力）に応じて、充電素子２３への充電又は充電素子２３からの放電を切り替えていたが、その他のパラメータを利用して充電素子２３の充放電を切り替えてもよい。例えば、太陽が出ている時間帯（昼間）に充電を行い、太陽が出ていない時間帯（夜間）に放電を行うように、時刻による充放電の制御を行ってもよい。そして、本実施例に係る照明装置１においては、充電と放電とを切り替えるようにしていたが、充電及び放電の両者を行わない状態を形成してもよい。
【００６４】
＜実施例２＞
上述した実施例１においては、太陽光の入射面側であって照明光の出射面側に透明基板４を配設していたが、透明基板４を配設しない他の構造を照明装置に用いてもよい。透明基板を配設しない構造を、図３を参照しつつ、実施例２として以下に説明する。ここで、図３は、実施例２に係る照明装置の断面図である。
【００６５】
図３に示すように、本実施例に係る照明装置１０１は、面発光パネルとして機能する有機ＥＬ部１０２と、当該有機ＥＬ部１０２の電源として機能する有機太陽電池部１０３が積層された構造を有している。より具体的には、支持基板１３０の第１の表面１３０ａ上に有機太陽電池部１０３が配設され、当該有機太陽電池部１０３に隣接して有機ＥＬ部１０２が配設されている。また、支持基板１３０の第１の表面１３０ａ上には、有機ＥＬ部１０２及び有機太陽電池部１０３を被覆するようにガスバリア層１３１が形成されている。
【００６６】
また、図３に示すように、有機ＥＬ部１０２は、有機ＥＬ部１０２の陽極として機能する第１電極（有機ＥＬ電極）１１１、第１電極１１１に隣接して形成された有機ＥＬ層１１２、及び有機ＥＬ部１０２の陰極として機能する第２電極（共通電極）１１３を有している。すなわち、有機ＥＬ部１０２は、陽極である第１電極１１１に隣接して有機ＥＬ層１１２が形成され、有機ＥＬ層１１２に隣接して陰極である第２電極１１３が形成されている。
【００６７】
更に、有機太陽電池部１０３は、有機太陽電池部１０３の陽極として機能する第２電極（共通電極）１１３、第２電極１１３に隣接して形成された有機太陽電池層１１４、及び有機太陽電池部１０３の陰極として機能する第３電極（有機太陽電池電極）１１５を有している。すなわち、有機太陽電池部１０３は、陽極である第２電極１１３に隣接して有機太陽電池層１１４が形成され、有機太陽電池層１１４に隣接して陰極である第３電極１１５が形成されている。
【００６８】
また、本実施例においては、第１電極１１１と第２電極（共通電極）１１３が光透過性を備えている。そして、本実施例においては、有機ＥＬ部１０２の陰極である第２電極１１３は、有機太陽電池部１０３の陽極としても機能する。すなわち、有機ＥＬ部１０２の陰極と有機太陽電池部１０３の陽極とは共通化されている。
【００６９】
なお、本実施例においては、第１電極１１１及びを陽極とし、共通電極である第２電極１１３が陰極と陽極を兼ね、第３電極１１５を陰極としたが、第１電極１１１を陰極とし、共通電極である第２電極１１３が陽極と陰極を兼ね、第３電極１１５を陽極としてもよい。
【００７０】
本実施例に係る照明装置１０１において、ガスバリア層１３１の第１の表面１３１ａから入射する太陽光（図３において実線矢印で示す）は、ガスバリア層１３１、第１電極１１１、有機ＥＬ層１１２、及び第２電極１１３を経由し、有機太陽電池層１１４にまで到達する。そして、当該入射した太陽光を用いて発電が行われる。一方、有機ＥＬ層１１２から生じた照明光であってガスバリア層１３１の第１の表面１３１ａ側に向けて放射された照明光は、第１電極１１１及びガスバリア層１３１を経由して、ガスバリア層１３１の第１の表面１３１ａから出射する。また、有機ＥＬ層１１２から生じた照明光であって第３電極１１５側に向けて放射された照明光は、第３電極１１５によって反射され、有機太陽電池層１１４、第２電極１１３、有機ＥＬ層１１２、第１電極１１１及びガスバリア層１３１を経由して、ガスバリア層１３１の第１の表面１３１ａから出射する。ここで、図３においては、ガスバリア層１３１の第１の表面１３１ａから出射する照明光を破線矢印で示す。なお、図３における太陽光及び照明光の入射方向及び出射方向は一例を示しているに過ぎず、太陽光は全方位からガスバリア層１３１の第１の表面１３１ａに入射し、照明光はガスバリア層１３１の第１の表面１３１ａから全方位に出射している。
【００７１】
本実施例に係る有機ＥＬ部１０２は、上述した実施例１の有機ＥＬ部２とほぼ同一であるが、陰極である第２電極１１３の材料が異なっている。より具体的には、本実施例に係る第２電極１１３は、有機太陽電池部１０３の陽極としても機能するため、インジウム錫酸化物（ＩＴＯ）から構成されていることが好ましい。なお、有機ＥＬ部１０２のその他の構成については、上述した実施例１の有機ＥＬ部２と同一であるため、その説明は省略する。
【００７２】
また、本実施例に係る有機太陽電池部１０３は、上述した実施例１の有機太陽電池部３とほぼ同一であるが、陽極である第２電極１１３及び陰極である第３電極１１５の材料が異なっている。より具体的には、第２電極１１３は上述した通りであり、第３電極１１５は、有機太陽電池部１０３の陰極と機能し且つ反射部材としても機能するため、アルミニウムから構成されていることが好ましい。なお、有機太陽電池部１０３のその他の構成については、上述した実施例１の有機太陽電池部３と同一であるため、その説明は省略する。
【００７３】
更に、支持基板１３０は、ガラス等の光透過性を備える透明基板に限定されることなく、光透過性を備えない遮光性の基板であってもよい。また、支持基板１３０は、酸素や水分に起因する有機ＥＬ部１０２及び有機太陽電池部１０３の劣化等を防止するため、酸素及び水分を透過しない材料を用いることが好ましい。
【００７４】
そして、ガスバリア層１３１は、酸素や水分に起因する有機ＥＬ部１０２及び有機太陽電池部１０３の劣化等を防止し、発電効率及び発光効率の向上を図っている。また、本実施例１においては、ガスバリア層１３１を介して太陽光の入射及び照明光の出射を行うため、ガスバリア層１３１は光透過性を備える。ガスバリア層１３１の材料には、例えばポリエチレンテレフタレート（ＰＥＴ）、ポリエチレンナフタレート（ＰＥＮ）等の基材フィルムにＳＩＯxを真空蒸着させたフィルム等の従来公知の材料を用いることができる。更に、ガスバリア層１３１は、１種類、又は２種類以上の材料から形成されてもよく、更には単層のフィルム体又は積層構造を備える積層フィルム体であってもよい。
【００７５】
また、ガスバリア層１３１は、光透過性を備えていれば、前述の封止部と同様の構成としてもよい。
【００７６】
＜実施例３＞
上述した実施例１においては、太陽光の入射面側であって照明光の出射面側に有機ＥＬ部２が位置していたが、太陽光の入射面側であって照明光の出射面側に有機太陽電池部３を配置してもよい。このような構造を有する照明装置を、図４を参照しつつ、実施例３として以下に説明する。ここで、図４は、実施例３に係る照明装置の断面図である。
【００７７】
図４に示すように、本実施例に係る照明装置２０１は、面発光パネルとして機能する有機ＥＬ部２０２と、当該有機ＥＬ部２０２の電源として機能する有機太陽電池部２０３が積層された構造を有している。より具体的には、透明基板２０４の第１の表面２０４ａ上に有機太陽電池部２０３が配設され、当該有機太陽電池部２０３に隣接して有機ＥＬ部２０２が配設されている。また、透明基板２０４の第１の表面２０４ａ上には、有機ＥＬ部２０２及び有機太陽電池部２０３を被覆するように封止部２０５が形成されている。
【００７８】
また、図４に示すように、有機ＥＬ部２０２は、有機ＥＬ部２０２の陰極として機能する第１電極（有機ＥＬ電極）２１１、第１電極２１１に隣接して形成された有機ＥＬ層２１２、及び有機ＥＬ部２０２の陽極として機能する第２電極（共通電極）２１３を有している。すなわち、有機ＥＬ部２０２は、陰極である第１電極２１１に隣接して有機ＥＬ層２１２が形成され、有機ＥＬ層２１２に隣接して陽極である第２電極２１３が形成されている。
【００７９】
更に、有機太陽電池部２０３は、有機太陽電池部２０３の陰極として機能する第２電極（共通電極）２１３、第２電極２１３に隣接して形成された有機太陽電池層２１４、及び有機太陽電池部２０３の陽極として機能する第３電極（有機太陽電池電極）２１５を有している。すなわち、有機太陽電池部２０３は、陰極である第２電極２１３に隣接して有機太陽電池層２１４が形成され、有機太陽電池層２１４に隣接して陽極である第３電極２１５が形成されている。
【００８０】
また、本実施例においては、第３電極２１５と第２電極（共通電極）２１３が光透過性を備えている。そして、本実施例においては、有機ＥＬ部２０２の陽極である第２電極２１３は、有機太陽電池部２０３の陰極としても機能する。すなわち、有機ＥＬ部２０２の陽極と有機太陽電池部２０３の陰極とは共通化されている。
【００８１】
なお、本実施例においては、第１電極２１１を陰極とし、共通電極である第２電極２１３が陽極と陰極を兼ね、第３電極２１５を陽極としたが、第１電極２１１を陽極とし、共通電極である第２電極２１３が陰極と陽極を兼ね、第３電極２１５を陰極としてもよい。
【００８２】
本実施例に係る照明装置２０１において、透明基板２０４の第２の表面２０４ｂ側から入射する太陽光（図４において実線矢印で示す）は、透明基板２０４、及び第３電極２１５を経由し、有機太陽電池層２１４にまで到達する。そして、当該入射した太陽光を用いて発電が行われる。一方、有機ＥＬ層２１２から生じた照明光は、第２電極２１３、有機太陽電池層２１４、第３電極２１５、及び透明基板２０４を経由して、透明基板２０４の第２の表面２０４ｂから出射する。ここで、図４においては、透明基板２０４の第２の表面２０４ｂから出射する照明光を破線矢印で示す。なお、図４における太陽光及び照明光の入射方向及び出射方向は一例を示しているに過ぎず、太陽光は全方位から透明基板２０４の第２の表面２０４ｂに入射し、照明光は透明基板２０４の第２の表面２０４ｂから全方位に出射している。
【００８３】
本実施例に係る有機ＥＬ部２０２は、上述した実施例１の有機ＥＬ部２とほぼ同一の構成であるが、陰極である第１電極２１１の材料が異なっている。より具体的には、本実施例に係る第１電極２１１は、有機ＥＬ層２１２から放射する光を反射して透明基板２０４側に導光させる反射部材としても機能するため、銀から形成されることが好ましい。なお、有機ＥＬ部２０２のその他の構成については、上述した実施例１の有機ＥＬ部２と同一であるため、その説明は省略する。
【００８４】
また、本実施例に係る有機太陽電池部２０３は、上述した実施例１の有機太陽電池部３とほぼ同一であるが、陽極である第３電極２１５の材料が異なっている。より具体的には、第３電極２１５は、太陽光及び照明光を透過するため、インジウム錫酸化物（ＩＴＯ）から構成されていることが好ましい。なお、有機太陽電池部２０３のその他の構成については、上述した実施例１の有機太陽電池部３と同一であるため、その説明は省略する。
【００８５】
なお、本実施例に係る透明基板２０４は実施例１の透明基板４と同一であり、本実施例に係る封止部２０５は実施例１の封止部５と同一であるため、その説明は省略する。
【００８６】
＜実施例４＞
上述した実施例１においては、第３電極１５が反射機能を備えていたが、高い反射率を備える反射部材を照明光の出射面側とは反対側に別途形成してもよい。このような構造を有する照明装置を、図５を参照しつつ、実施例４として以下に説明する。ここで、図５は、実施例４に係る照明装置の断面図である。
【００８７】
図４に示すように、本実施例に係る照明装置３０１は、面発光パネルとして機能する有機ＥＬ部３０２と、当該有機ＥＬ部３０２の電源として機能する有機太陽電池部３０３と、有機ＥＬ部３０２から放射された照明光を反射する機能を備える反射部材３３０とが積層された構造を有している。より具体的には、透明基板３０４の第１の表面３０４ａ上に有機太陽電池部３０３が配設され、当該有機太陽電池部３０３に隣接して有機ＥＬ部３０２が配設され、当該有機ＥＬ部３０２に隣接して反射部材３３０が配設されている。また、透明基板３０４の第１の表面３０４ａ上には、有機ＥＬ部３０２、有機太陽電池部３０３、及び反射部材３３０を被覆するように封止部３０５が形成されている。
【００８８】
また、図５に示すように、有機ＥＬ部３０２は、有機ＥＬ部３０２の陽極として機能する第１電極（有機ＥＬ電極）３１１、第１電極３１１に隣接して形成された有機ＥＬ層３１２、及び有機ＥＬ部３０２の陰極として機能する第２電極（共通電極）３１３を有している。すなわち、有機ＥＬ部３０２は、陽極である第１電極３１１に隣接して有機ＥＬ層３１２が形成され、有機ＥＬ層３１２に隣接して陰極である第２電極３１３が形成されている。
【００８９】
更に、有機太陽電池部３０３は、有機太陽電池部３０３の陰極として機能する第２電極（共通電極）３１３、第２電極３１３に隣接して形成された有機太陽電池層３１４、及び有機太陽電池部３０３の陽極として機能する第３電極（有機太陽電池電極）３１５を有している。すなわち、有機太陽電池部３０３は、陽極である第２電極３１３に隣接して有機太陽電池層３１４が形成され、有機太陽電池層３１４に隣接して陰極である第３電極３１５が形成されている。
【００９０】
また、本実施例においては、第３電極３１５と第２電極（共通電極）３１３が光透過性を備えている。そして、本実施例においては、有機ＥＬ部３０２の陰極である第２電極３１３は、有機太陽電池部３０３の陰極としても機能する。すなわち、有機ＥＬ部３０２の陰極と有機太陽電池部３０３の陰極とは共通化されている。
【００９１】
なお、本実施例においては、第１電極３１１及び第３電極３１５を陽極とし、共通電極である第２電極３１３を陰極としたが、第１電極３１１及び第３電極３１５を陰極とし、共通電極である第２電極３１３を陽極としてもよい。
【００９２】
本実施例に係る照明装置３０１において、透明基板３０４の第２の表面３０４ｂ側から入射する太陽光（図５において実線矢印で示す）は、透明基板３０４、及び第３電極３１５を経由し、有機太陽電池層３１４にまで到達する。そして、当該入射した太陽光を用いて発電が行われる。一方、有機ＥＬ層３１２から生じた照明光であって透明基板３０４側に向けて放射された照明光は、第２電極３１３、有機太陽電池層３１４、第３電極３１５、及び透明基板３０４を経由して、透明基板３０４の第２の表面３０４ｂから出射する。また、有機ＥＬ層３１２から生じた照明光であって第１電極３１１側に向けて放射された照明光は、反射部材３３０によって反射され、第１電極３１１、有機ＥＬ層３１２、第２電極３１３、有機太陽電池層３１４、第３電極３１５及び透明基板３０４を経由して、透明基板３０４の第２の表面３０４ｂから出射する。ここで、図５においては、透明基板３０４の第２の表面３０４ｂから出射する照明光を破線矢印で示す。なお、図５における太陽光及び照明光の入射方向及び出射方向は一例を示しているに過ぎず、太陽光は全方位から透明基板３０４の第２の表面３０４ｂに入射し、照明光は透明基板３０４の第２の表面３０４ｂから全方位に出射している。
【００９３】
本実施例に係る有機ＥＬ部３０２は、上述した実施例１の有機ＥＬ部２とほぼ同一の構成であり、陽極である第１電極３１１は例えばインジウム錫酸化物（ＩＴＯ）からなり、光透過性を備え、陰極である第２電極３１３は薄膜状のアルミニウムからなる構成されて光透過性を備えている。なお、有機ＥＬ部３０２の有機ＥＬ層３１２については、上述した実施例１の有機ＥＬ部２の有機ＥＬ層１２と同一であるため、その説明は省略する。
【００９４】
また、本実施例に係る有機太陽電池部３０３は、上述した実施例１の有機太陽電池部３とほぼ同一であるが、陽極である第３電極３１５の材料が異なっている。より具体的には、第３電極２１５は、太陽光及び照明光を透過するため、インジウム錫酸化物（ＩＴＯ）から構成されていることが好ましい。なお、有機太陽電池部３０３のその他の構成については、上述した実施例１の有機太陽電池部３と同一であるため、その説明は省略する。
【００９５】
反射部材３３０は、有機ＥＬ層３１２から放射された照明光を、透明基板３０４に向かって効率よく反射して導光する必要があるため、有機ＥＬ層３１２から放射される照明光の波長帯域で高い反射率を備える材料から構成されることが好ましい。特に、反射部材３３０の可視光に対する反射率は、７０％以上であることが好ましい。反射部材３３０の材料としては、アルミニウム、若しくは銀、又はこれらの合金を用いることができる。また、反射部材３３０の材料として、可視光を効率よく反射することができる反射率の高い樹脂材料又は顔料のような非導電性材料を用いてもよい。
【００９６】
なお、本実施例に係る透明基板３０４は実施例１の透明基板４と同一であり、本実施例に係る封止部３０５は実施例１の封止部５と同一であるため、その説明は省略する。
【００９７】
（各実施例の効果）
上述した各実施例に係る照明装置によれば、有機ＥＬ部と有機太陽電池部とが積層されているものの、有機ＥＬ部と有機太陽電池部のいずれかの電極が共通電極として共通化されているため、有機ＥＬ部と有機太陽電池部とを単純に積層した構造と比較して、１つの電極を削減することができる。これにより、照明装置自体のコスト低減及び小型化を図ることができる。
【００９８】
また、上述した各実施例に係る照明装置によれば、有機ＥＬ層から生じた照明光の出射面及び太陽光の入射面は、光透過性を備える電極の形成面側に位置することになる。すなわち、当該出射面及び入射面は同一面上に位置することになり、照明装置を屋外の天井面又は強固に立てられた支柱に保持させる必要がなくなり、照明装置を様々な場所に容易に取り付けることができる。
【符号の説明】
【００９９】
１、１０１、２０１、３０１    照明装置
２、１０２、２０２、３０２    有機ＥＬ部
３、１０３、２０３、３０３    有機太陽電池部
４、２０４、３０４    透明基板
４ａ、２０４ａ、３０４ａ    第１の表面
４ｂ、２０４ｂ、３０４ｂ    第２の表面
５、２０５、３０５    封止部
１１、１１１、２１１、３１１    第１電極（有機ＥＬ電極）
１２、１１２、２１２、３１２    有機ＥＬ層
１３、１１３、２１３、３１３    第２電極（共通電極）
１４、１１４、２１４、３１４    有機太陽電池層
１５、１１５、２１５、３１５    第３電極
２１    充放電部
２２    電力制御回路
２３    充電素子
２４    起電力制御回路
２５    ＤＣ/ＤＣコンバータ
２６    入力側スイッチ
２７    出力側スイッチ
２８    スイッチ制御回路
１３０    支持基板
１３０ａ    第１の表面
１３１    ガスバリア層
１３１ａ    第１の表面
３３０    反射部材
【図１】
2015219969.tif 000003
【図２】
2015219969.tif 000004
【図３】
2015219969.tif 000005
【図４】
2015219969.tif 000006
【図５】
2015219969.tif 000007